(57)【要約】【課題】  装着部全体を圧迫するとともに、同時に装着部位のうち肉離れや打撲等が生じた特定の部位を部分的に圧迫することを可能にする圧迫調整サポーターを提供する。【解決手段】  伸縮可能で、かつ、その表面が面ファスナー素材からなるラップタイプサポーター本体と、前記本体端部に配置され、端部裏面が前記面ファスナー素材に係合するファスナーフック部を有する一又は二以上の本体ストラップと、一端が前記本体ストラップの表面に接合される伸縮可能な一又は二以上の伸縮ストラップとからなり、前記伸縮ストラップの各他端裏面が前記面ファスナー素材に係合するファスナーフック部を有する【選択図】図１
0003176116.tif 000002
【実用新案登録請求の範囲】
【請求項１】
伸縮可能で、かつ、その表面が面ファスナー素材からなるラップタイプサポーター本体と、
前記本体端部に配置され、端部裏面が前記面ファスナー素材に係合するファスナーフック部を有する一又は二以上の本体ストラップと、
一端が前記本体ストラップの表面に接合される伸縮可能な一又は二以上の伸縮ストラップとからなり、
前記伸縮ストラップの各他端裏面が前記面ファスナー素材に係合するファスナーフック部を有することを特徴とする圧迫調整サポーター。
【請求項２】
伸縮可能で、かつ、その表面が面ファスナー素材からなるラップタイプサポーター本体と、
前記本体端部に配置され、端部裏面が前記面ファスナー素材に係合するファスナーフック部を有する一又は二以上の本体ストラップと、
前記サポーター本体とは、着脱可能で、かつ、裏面に前記面ファスナー素材に係合するファスナーフック部を有するセンタープレートと、
前記センタープレートの表面には当該センタープレートの両側に延びる一又は二以上の伸縮可能な一又は二以上の伸縮ストラップととからなり、
前記伸縮ストラップの各端部裏面が前記面ファスナー素材に係合するファスナーフック部を有することを特徴とする圧迫調整サポーター。
【考案の詳細な説明】
【技術分野】
【０００１】
本考案は、装着部位全体の圧迫に加え、特定の部位の部分圧迫を同時に可能にする圧迫調整サポーターに関する。
【背景技術】
【０００２】
人体の関節部を冷えや衝撃などから保護するためのベルト状の装着具であるサポーターには、例えば、特開２００２−６５７１１号公報に開示のものが知られている。当該特開２００２−６５７１１号公報に開示のものは、発明名称「膝関節用サポーター」に係り、「膝蓋骨の左右方向のずれを有効に防止することが可能で、・・膝関節の屈曲角に関係なく、均一な圧迫を行うことができ、・・使用者の必要に応じて、膝蓋骨（皿）の支持の強化などを図る」等の課題解決において（同公報明細書段落番号００１２〜００１４参照）、「伸縮自在な材料から形成され、大腿部に装着される上部ベルトと、伸縮自在な材料から形成され、ふくらはぎ部に装着される下部ベルトと、伸縮自在な材料から形成されるとともに、前記上部ベルトおよび前記下部ベルトに連結され、膝の前面および後面のうちいずれかを覆うように設けられた中央部とを備え、前記中央部は、前記膝の折り曲げ方向に対して交差する方向に延びる複数のスリット状の切り込み部を含む」構成とすること等により（同公報特許請求の範囲請求項１等の記載参照）、「膝蓋骨（皿）の左右方向のずれを有効に防止することができるとともに、膝関節の屈曲角に関係なく、膝に均一な圧迫を与えることができる。さらに、補助ベルトを用いれば、必要に応じて、膝蓋骨（皿）や側副靱帯の支持の補強などを行うことができる」等の効果を奏するものである(同公報明細書段落番号００８０参照）。
【０００３】
図５は、特開２００２−６５７１１号公報に図１として添付される同公報に開示の第１実施形態による膝関節用サポーターを展開した平面図であり、図６（ａ）は、同公報に図５として添付される同公報に開示の同第１実施形態による膝関節用サポーターを左足に装着して膝を伸ばした状態を示した側面図、図６（ｂ）は、同公報に図７として添付される同公報に開示の第１実施形態による膝関節用サポーターを左足に装着して膝を屈曲させた状態を示した側面図である。
【０００４】
図５、図６において、符号１０１は、同公報に開示の第１実施形態による膝関節用サポーター、１０２は、大腿部に装着される上部ベルト、１０３は、ふくらはぎ部に装着される下部ベルト、１０２ａは、第１部分、１０２ｂは、第２部分、１０３ａは、第３部分、１０３ｂは、第４部分、１０４は、中央部、１０５、１０５は、スリット状の切り込み部、１０６、１０６は、三角形穴、１０７ａ、１０７ｂ、１０８ａ、１０８ｂは、面ファスナーである（なお、符号は、先行技術であることを明らかにするために、本願出願人において、３桁に変更して付した。）。
【０００５】
このようにサポーターには、上述してしたような巻き付けタイプ（ラップタイプ）の外に、筒型（スリーブタイプ）のものがあるが、従来のこの種のスリーブタイプ（筒型）、ラップタイプ（巻き付け型）のいずれのサポーターであっても、人体の手足等の装着部の全体を圧迫するのみで、これらの装着部位に肉離れや打撲等が生じた場合にも全体的に装着部位を圧迫する外に、装着部位のうちの特定の部分を部分的に強く圧迫する等の部分圧迫ができなかった。
【０００６】
また、従来のスリーブタイプ（筒型）のサポーターは圧迫の強弱を調整することが一切できず、さらに、圧迫の強弱を調整することができる上述するような従来のラップタイプ（巻き付け型）サポーターであっても、装着部位全体を強くしたり弱くしたりした締め付けることはできるが、サポーターの装着部位のうちの特定の部位に部分的に圧迫を加えたり、部分的に加える圧迫力の強弱を調整することはできなかった。
【先行技術文献】
【特許文献】
【０００７】
【特許文献１】特開２００２−６５７１１号公報
【考案の概要】
【考案が解決しようとする課題】
【０００８】
本考案は、人体の大腿部やふくらはぎ部に装着するサポーターにおいて、これらの装着部位にサポーターを固定するために装着部全体を圧迫するとともに、同時に装着部位のうち肉離れや打撲等が生じた特定の部位を部分的に圧迫することを可能にする圧迫調整サポーターを提供することを目的とする。
【課題を解決するための手段】
【０００９】
上記課題を解決するために、本願請求項１に係る考案は、圧迫調整サポーターであって、伸縮可能で、かつ、その表面が面ファスナー素材からなるラップタイプサポーター本体と、前記本体端部に配置され、端部裏面が前記面ファスナー素材に係合するファスナーフック部を有する一又は二以上の本体ストラップと、一端が前記本体ストラップの表面に接合される伸縮可能な一又は二以上の伸縮ストラップとからなり、前記伸縮ストラップの各他端裏面が前記面ファスナー素材に係合するファスナーフック部を有することを特徴とする。
また、本願請求項２に係る考案は、圧迫調整サポーターであって、伸縮可能で、かつ、その表面が面ファスナー素材からなるラップタイプサポーター本体と、前記本体端部に配置され、端部裏面が前記面ファスナー素材に係合するファスナーフック部を有する一又は二以上の本体ストラップと、前記サポーター本体とは、着脱可能で、かつ、裏面に前記面ファスナー素材に係合するファスナーフック部を有するセンタープレートと、前記センタープレートの表面には当該センタープレートの両側に延びる一又は二以上の伸縮可能な一又は二以上の伸縮ストラップととからなり、前記伸縮ストラップの各端部裏面が前記面ファスナー素材に係合するファスナーフック部を有することを特徴とする。
【考案の効果】
【００１０】
本考案は、次のような効果を有する。
（１）本体にラップタィプ（巻き付け型）を採用したことで、全体圧迫が可能である。
（２）また、本体の片側（面ファスナーフック部）を１又は２以上に分割にすることで、大腿部の形状によりフィットさせやすくなる。また、１又は２以上に分割にしたことで全体圧迫もより細かな調整ができる。
（３）圧迫調整パーツを本体とは別に用意することで、大腿部の様々な箇所で発生する筋肉トラブルに対して簡単に部分的圧迫が可能になった。
（４）誰でも簡単に正確な部分圧迫が可能となる。
【図面の簡単な説明】
【００１１】
【図１】図１は、実施例１に係るふくらはぎ用圧迫調整サポーター１の概略図、
【図２】（１）〜（９）は、本実施例１に係るふくらはぎ用圧迫調整サポーター１の装着手順を示す概略図、
【図３】実施例２に係る大腿用圧迫調整サポーター１０の概略図、
【図４】（１）〜（７）は、本実施例２に係る大腿用圧迫調整サポーター１０の装着手順を示す概略図、
【図５】図５は、特開２００２−６５７１１号公報に図１として添付される同公報に開示の第１実施形態による膝関節用サポーターを展開した平面図、
【図６】図６（ａ）は、特開２００２−６５７１１号公報に図５として添付される同公報に開示の同第１実施形態による膝関節用サポーターを左足に装着して膝を伸ばした状態を示した側面図、図６（ｂ）は、同公報に図７として添付される同公報に開示の第１実施形態による膝関節用サポーターを左足に装着して膝を屈曲させた状態を示した側面図である。
【考案を実施するための形態】
【００１２】
本考案に係る圧迫調整サポーターを実施するための最良の形態である一実施例を図面に基づき詳細に説明する。
【実施例１】
【００１３】
（ふくらはぎ用圧迫調整サポーター）
図１は、本考案に係る圧迫調整サポーターを実施するための形態の一実施例であるふくらはぎ用圧迫調整サポーターの実施例１の概略を示す図である。
【００１４】
図１において、符号１は、本実施例１に係るふくらはぎ用圧迫調整サポーター、２は、それ自体が伸縮可能で、フィット感、快適性に優れる１．５ｍｍ厚薄型通気性のある素材からなる本体、２ａは、該本体２の表面に設けられる面ファスナー素材、３ａ、３ｂ、３ｃは、前記本体２の前記表面に設けられる面ファスナー素材２ａの端部に設けられる本体ストラップであり、その各端部裏面には、前記本体２の表面に設けられる面ファスナー素材２ａに自由位置で係合される面ファスナーフック部５ａ、５ｂ、５ｃが設けられている。また、４ａ、４ｂ、４ｃは、一端が前記当該本体ストラップ３ａ、３ｂ、３ｃの表面側に接合され、前記本体ストラップ３ａ、３ｂ、３ｃの逆方向に延びる伸縮ストラップであり、その各他端裏面には、前記面ファスナーフック部５ａ、５ｂ、５ｃ同様、前記本体２の表面に設けられる面ファスナー素材２ａに自由位置で係合される面ファスナーフック部６ａ、６ｂ、６ｃが設けられる。
【００１５】
図１から明らかなように、本実施例１に係るふくらはぎ用圧迫調整サポーター１においては、前記本体２は、それ自体伸縮する素材からなり、また、その表面に設けられる面ファスナー素材２ａは、各所に設けられた前記面ファスナーフック部５ａ、５ｂ、５ｃと自由位置で係合される素材からなり、前記本体２を人体のふくらはぎ（下腿部）に巻きつける、いわゆるラップタイプ（巻き付け式）サポーターを構成する。また、前記伸縮ストラップ４ａ、４ｂ、４ｃもそれ自体長さ方向に伸縮する素材からなり、一端が、前述するように、前記本体ストラップ３ａ、３ｂ、３ｃの表面側に接合され、各伸縮端裏面には、前記本体２の表面に設けられる面ファスナー素材２ａに契合する面ファスナーフック部６ａ、６ｂ、６ｃが設けられる。
【００１６】
これら，本実施例１に係るふくらはぎ用圧迫調整サポーター１の構成上の特徴を整理すると次のものである。
【００１７】
（ａ）前記本体２はラップタイプ（巻き付け式）を採用し、その表面を面ファスナー素材としている。
（ｂ）前記本体２の一方側を複数に分割し（本実施例１に係るふくらはぎ用圧迫調整サポーター１では３分割した）ストラップ状に構成した本体ストラップ３ａ、３ｂ、３ｃを設け、その各端部裏面に前記面ファスナー素材２ａに契合する前記面ファスナーフック部５ａ、５ｂ、５ｃを設ける。
（ｃ）前記本体２とは別に圧迫調整パーツとして一端を前記本体ストラップ３ａ、３ｂ、３ｃの表面側に接合し、前記本体ストラップ３ａ、３ｂ、３ｃの逆方向に延び、各他端裏面に前記面ファスナー素材２ａに契合する前記面ファスナーフック部６ａ、６ｂ、６ｃを設ける。
【００１８】
上記のような構成とすることにより、ふくらはぎに筋挫傷（肉離れ／筋断裂）や打撲が生じた場合には、サポーターや弾性包帯等で患部を保温・圧迫し、筋肉への負担を軽減することが求められ、従来のサポーターではふくらはぎ全体を圧迫するだけで、ふくらはぎの高さに合わせたり、筋挫傷部位や打撲部位等の特定部位を個別に圧迫することができなかったが、本実施例１に係るふくらはぎ用圧迫調整サポーター１によれば、前記伸縮ストラップ４ａ、４ｂ、４ｃの働きにより、ふくらはぎ全体の圧迫に加えて、ふくらはぎの高さにあわせた特定部位の圧迫、しかも、その圧迫は段階的調整可能な圧迫が可能となる。
【００１９】
また、上記のような構成としてので、本実施例１に係るふくらはぎ用圧迫調整サポーター１は、ふくらはぎ全体の圧迫の維持したまま、ふくらはぎの高さにあわせた特定部位の段階的圧迫が可能となるので、運動中であっても、前記伸縮ストラップ４ａ、４ｂ、４ｃの引っ張り加減を調整・変更するだけで簡単に圧迫力の調整・変更が可能となる。
【００２０】
次に、本実施例１に係るふくらはぎ用圧迫調整サポーター１を人体のふくらはぎ（下腿部）の任意の箇所に加圧力を調整しながら装着する状況を図面に基づき説明する。
【００２１】
図２（１）〜（９）は、本実施例１に係るふくらはぎ用圧迫調整サポーター１を人体の右足のふくらはぎ（下腿部）に装着し、ふくらはぎ部分の必要とする特定箇所を強い圧力をかける際の装着手順を示す概略図である。
図２（１）〜（９）から明らかなように、本実施例１に係るふくらはぎ用圧迫調整サポーター１を人体のふくらはぎ（下腿部）に装着し、ふくらはぎ部分の必要とする特定箇所を強い圧力をかける際の装着手順は以下のとおりである。
【００２２】
（１）本実施例１に係るふくらはぎ用圧迫調整サポーター１の前記本体２を両手で広げ、前記本体ストラップ３ａ、３ｂ、３ｃが右手側に来るように右足のすねに合わせる（図２（１））。
（２）本体２を下腿部に巻きつける（図２（２））。
（３）最初に一番下（足首側）の前記本体ストラップ３ａを前記右足を中心にした場合、時計回の方向へ引っ張りながら廻し、前記面ファスナーフック部５ａを前記本体２の表面に設けられる面ファスナー素材２ａの適宜の位置に係合して止める（図２（３））。
【００２３】
（４）続けて真ん中、一番上（膝側）の前記本体ストラップ３ｂ、３ｃを同様に時計回り方向へ引っ張りながら廻し、前記面ファスナーフック部５ｂ、５ｃを前記本体２の表面に設けられる面ファスナー素材２ａの適宜の位置に係合して止める（図２（３）（４）（５））。
（５）サポーターのゆるみやズレがないか確認し、フィット感を調整する。
（６）次に、下側（足首側）の前記伸縮ストラップ４ａを反時計回り方向へ引っ張りながら廻し、前記面ファスナーフック部６ａを前記本体２の表面に設けられる面ファスナー素材２ａの適宜の位置に係合して止める（図２（６））。
【００２４】
（７）同様にして真ん中、一番上（膝側）の前記伸縮ストラップ４ｂ、４ｃを反時計回り方向へ引っ張りながら廻し、前記面ファスナーフック部６ｂ、６ｃを前記本体２の表面に設けられる面ファスナー素材２ａの適宜の位置に係合して止める（図２（７）（８））。
（８）強い加圧力や弱い加圧力が必要な箇所に好みのフィット感と圧迫力が得られるよう、個々の伸縮ストラップ４ａ、４ｂ、４ｃの前記面ファスナーフック部６ａ、６ｂ、６ｃを再係合しながら調整する（図２（９））。
図２（１）〜（９）に示すように、本実施例１に係るふくらはぎ用圧迫調整サポーター１の装着は、特殊な技能を要することなく誰でも簡単に装着を可能とする。
【実施例２】
【００２５】
（太腿用圧迫調整サポーター）
次に、本考案に係る圧迫調整サポーターに係る実施例２を図面に基づき説明する。
【００２６】
図３は、本考案に係る圧迫調整サポーターの実施例２に係る太腿用圧迫調整サポーターの概略を示す図である。図３において、符号１０は、本実施例２に係る大腿用圧迫調整サポーターであり、上記実施例１に係るふくらはぎ用圧迫調整サポーター１と同様のラップタイプ（巻き付け式）サポーター、１２は、上記実施例１に係るふくらはぎ用圧迫調整サポーター１の素材と同様の伸縮可能で、フィット感、快適性に優れる１．５ｍｍ厚薄型通気性のある素材からなる本体、１２ａは、前記本体１２の表面に設けられる面ファスナー素材、１３ａ、１３ｂは、前記本体１２の端部に設けられる本体ストラップであり、その各端部裏面には、前記面ファスナー素材１２ａに自由位置で係合される面ファスナーフック部１４ａ、１４ｂが設けられている。
【００２７】
また、符号１１は、前記本体１２とは分離可能に構成され、前記本体１２の面ファスナー素材１２ａに係合され、着脱可能なマルチ加圧ストラップであり、当該マルチ加圧ストラップ１１は、その裏面１１ｂ全面が、前記面ファスナー素材１２ａと係合するセンタープレート１１ａと、当該センタープレート１１ａに接合され、当該センタープレート１１ａの両端に延設される複数の（本実施例２に係る太腿用圧迫調整サポーター１０では３本の）伸縮ストラップ１５、１６、１７からなる。
【００２８】
そして、前記各伸縮ストラップ１５、１６、１７は、前述するように、その中央部で前記センタープレート１１ａの表面側に接合され、前記センタープレート１１ａから両側に延びる伸縮ストラップであり、その各伸縮ストラップ１５、１６、１７の両端裏面には、前記面ファスナーフック部１１ｂと同様、前記本体１２の表面に設けられる前記面ファスナー素材１２ａに自由位置で係合される面ファスナーフック部１５ａ、１５ｂ、１６ａ、１６ｂ、１６ａ、１７ｂからなる。
【００２９】
すなわち、図３から明らかなように、本実施例２に係る大腿用圧迫調整サポーター１０においても、前記本体１２は、それ自体伸縮する素材からなり、また、その表面に設けられる前記面ファスナー素材１２ａは、各所に設けられた前記面ファスナーフック部１５ａ、１５ｂ、１６ａ、１６ｂ、１６ａ、１７ｂと自由位置で係合される素材からなり、前記本体１２を人体のふともも（大腿部）に巻きつける、いわゆるラップタイプ（巻き付け式）サポーターを構成する。
【００３０】
また、前記伸縮ストラップ１５、１６、１７もそれ自体長さ方向に伸縮する素材からなり、前述するように、中央が前記本体センタープレート１１ａの表面側に接合され、両端裏面には、前記本体１２の表面に設けられる前記面ファスナー素材１２ａに係合する前記面ファスナーフック部１５ａ、１５ｂ、１６ａ、１６ｂ、１６ａ、１７ｂが設けられる。
【００３１】
上記のような構成とすることにより、上記実施例１に係るふくらはぎ用圧迫調整サポーター１で説明したように、ふとももに筋挫傷（肉離れ／筋断裂）や打撲が生じた場合にも、サポーターや弾性包帯等で患部を保温・圧迫し、筋肉への負担を軽減することが求められ、従来のサポーターではふともも全体を圧迫するだけで、当該筋挫傷部位や打撲部位等の特定部位を個別に圧迫することができなかったが、本実施例２に係る大腿用圧迫調整サポーター１０によれば、前記伸縮ストラップ１５、１６、１７の働きにより、ふともも全体の圧迫に加えて、ふとももの特定部位の段階圧迫や段階的調整可能な圧迫が可能となる。
【００３２】
また、同様に、本実施例２に係る大腿用圧迫調整サポーター１０においても、ふともも全体の圧迫の維持したまま、特定部位の段階的圧迫が可能となるので、運動中であっても、前記伸縮ストラップ１５、１６、１７の引っ張り加減を調整・変更するだけで簡単に圧迫力の調整・変更が可能となる。
【００３３】
次に、本実施例２に係る大腿用圧迫調整サポーター１０を人体のふともも（大腿部）の任意の箇所に加圧力を調整しながら装着する状況を図面に基づき説明する。
【００３４】
図４（１）〜（７）は、本実施例２に係る大腿用圧迫調整サポーター１０を人体の右足のふともも（大腿部）に装着し、ふともも部分の必要とする特定箇所を強い圧力をかける際の装着手順を示す概略図である。
図４（１）〜（７）から明らかなように、本実施例２に係る大腿用圧迫調整サポーター１０を人体のふともも（大腿部）に装着し、ふともも部分の必要とする特定箇所を強い圧力をかける際の装着手順は以下のとおりである。
【００３５】
（１）前記本体１２と前記マルチ加圧ストラップ１１とを分離し、前記本体１２を両手で広げ、人体の大腿部に巻きつける（図４（１）（２））。
（２）上下の本体ストラップ１３ａ、１３ｂの引っ張り加減でフィット感を調整する（図４（１）（２））。
（３）ふともものうち強圧迫をしたい部分（受傷箇所）に前記マルチ加圧ストラップ１１のセンタープレート１１ａを合わせ、前記面ファスナーフック部１１ｂを前記面ファスナー素材１２ａに係合して止める（図４（３））。
（４）下側（膝側）の前記伸縮ストラップ１７を好みの圧迫力になるよう両側へ引っ張りながら前記本体１２の前記面ファスナー素材１２ａに係合して止める（図４（４））。
【００３６】
（５）同様にして真ん中の前記伸縮ストラップ１６、上側（股関節側）の前記伸縮ストラップ１５を両側へ引っ張りながら前記本体１２の前記面ファスナー素材１２ａに係合して止める（図４（５）（６））。
（６）最後に好みの圧迫力になるように前記マルチ加圧ストラップ１１の各伸縮ストラップ１５、１６、１７の各引っ張り加減を調整する（図４（７））。
【産業上の利用可能性】
【００３７】
本考案は、ラップタイプ（巻き付け式）サポーターに利用される。
【符号の説明】
【００３８】
１ ふくらはぎ用圧迫調整サポーター
２ 本体
２ａ 面ファスナー素材
３ａ、３ｂ、３ｃ 本体ストラップ
４ａ、４ｂ、４ｃ 伸縮ストラップ
５ａ、５ｂ、５ｃ 面ファスナーフック部
６ａ、６ｂ、６ｃ 面ファスナーフック部
１０ 大腿用圧迫調整サポーター
１０ 太腿用圧迫調整サポーター
１１ マルチ加圧ストラップ
１１ａ センタープレート
１１ｂ 裏面面ファスナーフック部
１２ａ 面ファスナー素材
１３ａ、１３ｂ 本体ストラップ
１４ａ、１４ｂ 面ファスナーフック部
１５、１６、１７ 伸縮ストラップ
１５ａ、１５ｂ、１６ａ、１６ｂ、１７ａ、１７ｂ 面ファスナーフック部
１０１ 膝関節用サポーター
１０２ 上部ベルト
１０３ 下部ベルト
１０２ａ 第１部分
１０２ｂ 第２部分
１０３ａ 第３部分
１０３ｂ 第４部分
１０４ 中央部
１０５、１０５ スリット状の切り込み部
１０６、１０６ 三角形穴
１０７ａ、１０７ｂ、１０８ａ、１０８ｂ 面ファスナー
【図１】
0003176116.tif 000003
【図２】
0003176116.tif 000004
【図３】
0003176116.tif 000005
【図４】
0003176116.tif 000006
【図５】
0003176116.tif 000007
【図６】
0003176116.tif 000008